(57)【要約】【課題】  チラシと配送伝票とを一体化させた状態で配布できるようにしたチラシ付き配送伝票セットを提供する。【解決手段】  チラシ用紙本体は、配送伝票セットのサイズよりも大きなサイズで形成され、配送伝票セットは、複数の配送伝票用紙が重ね合わされ、一側端部で接着され、最下位の配送伝票用紙の一側端部とチラシ用紙本体の表面とで接着され、配送伝票セットの複数の配送伝票用紙は、最上位の配送伝票用紙から下側の配送伝票用紙にいくにつれ、順番に矩形状の短辺方向のサイズが小さなサイズとなるように形成され、チラシ用紙本体上に配送伝票セットが重ねられた状態で、チラシ用紙本体の表面と、複数の配送伝票用紙の裏面と、が対面する位置に、前記複数の配送伝票用紙の各配送伝票用紙の裏面側と、チラシ用紙本体の表面側と、を接着する接着部を有し、チラシ用紙本体の表面上には、前記接着部の位置に、接着状態を剥離可能とする剥離層が形成されている。【選択図】        図１
2009248383.tif 000002
【特許請求の範囲】
【請求項１】
広告が表示されたチラシ用紙本体と、前記チラシ用紙本体上に貼付された複数の配送伝票用紙が綴り合わされた配送伝票セットと、からなるチラシ付き配送伝票セットであって、
前記チラシ用紙本体は、前記配送伝票セットのサイズよりも大きなサイズで形成され、
前記配送伝票セットは、矩形状からなる複数の配送伝票用紙が重ね合わされ、各配送伝票用紙の一側端部で接着され、最下位の配送伝票用紙の一側端部と前記チラシ用紙本体の表面とで接着され、
前記配送伝票セットの複数の配送伝票用紙は、最上位の配送伝票用紙から下側に重ね合わされている配送伝票用紙にいくにつれて、順番に矩形状の短辺方向のサイズが小さなサイズとなるように形成され、前記チラシ用紙本体上に前記配送伝票セットが重ねられた状態で、前記チラシ用紙本体の表面と、前記複数の配送伝票用紙の裏面と、が対面する位置に、前記複数の配送伝票用紙の各配送伝票用紙の裏面側と、前記チラシ用紙本体の表面側と、を接着する接着部を有し、
前記チラシ用紙本体の表面上には、前記接着部の位置に、接着状態を剥離可能とする剥離層が形成されていることを特徴とするチラシ付き配送伝票セット。
【請求項２】
請求項１記載のチラシ付き配送伝票セットにおいて、
前記チラシ用紙本体には、前記配送伝票セットが重ね合わされている部分を切り取る切り取り用ミシンが形成されていることを特徴とするチラシ付き配送伝票セット。
【請求項３】
請求項２記載のチラシ付き配送伝票セットにおいて、
前記チラシ用紙本体の裏面であって、前記切り取り用ミシンから前記配送伝票セットが重ね合わされている領域に、粘着剤層が設けられ、前記粘着剤層の裏面側に剥離紙が剥離可能に貼付されていることを特徴とするチラシ付き配送伝票セット。
【発明の詳細な説明】
【技術分野】
【０００１】
本発明は、顧客に対して宣伝広告するための広告情報が表示されたチラシを、配送伝票と共に一体化させた状態として、顧客に配布できるようにしたチラシ付き配送伝票セットに関する。
【背景技術】
【０００２】
従来、配送業者が顧客に宣伝広告を行なう場合には、広告情報を印刷表示したチラシなどを作成して、店頭に置いたり、路上で顧客に配布したり、新聞チラシとして配ったり、また、配送伝票の一部にそれらの広告情報を印刷して表示させるなどしている。
これらの広告方法については、種々の方法が既に公開されている。（例えば、特許文献１〜４参照）
【０００３】
【特許文献１】特開２００１−２４６８７６号公報
【特許文献２】特開２００６−６２２９５号公報
【特許文献３】特開２００７−１５１７１号公報
【特許文献４】特開２００７−２９０２７７号公報
【０００４】
しかしながら、広告を表示したチラシを配布するなどして広告を行なった場合には、顧客が配送依頼を配送業者に行なう際に、新たに配送伝票を入手するための手配を行なわなければならず、直ぐに配送伝票に必要事項を記入して配送手続きができないという問題がある。
【０００５】
また、配送伝票の一部に広告情報を印刷表示した場合には、配送伝票において広告情報を表示できる領域が狭いことから、多くの広告情報を掲載できず、広告効果があまり期待できないという問題がある。
【０００６】
更に、近年における宅配便の発展により、数多くの顧客が宅配便の利用を行なうために、運送会社の窓口に限らず、コンビニエンスストアーなどにも顧客が自由に持っていける状態で配送伝票が置いてある。
したがって、宅配便の顧客の増大からも、配送伝票は、有力な広告媒体としても用いられる可能性があるが、広告表示領域の制約からも、広告媒体として配送伝票が生かしきれていないという問題がある。
【発明の開示】
【発明が解決しようとする課題】
【０００７】
そこで、本発明は、顧客に対して宣伝広告するための広告情報を表示できる大きな面積を有するチラシと、配送依頼する際に使用する配送伝票と、を一体化させた状態で、顧客に配布できるようにして、顧客に多くの広告情報を提供できるようにすると共に、顧客が配送の依頼を希望する際にも、直ぐに配送依頼を行なえるようにしたチラシ付き配送伝票セットを提供する。
【課題を解決するための手段】
【０００８】
本発明のチラシ付き配送伝票セットは、広告が表示されたチラシ用紙本体と、前記チラシ用紙本体上に貼付された複数の配送伝票用紙が綴り合わされた配送伝票セットと、からなるチラシ付き配送伝票セットであって、前記チラシ用紙本体は、前記配送伝票セットのサイズよりも大きなサイズで形成され、前記配送伝票セットは、矩形状からなる複数の配送伝票用紙が重ね合わされ、各配送伝票用紙の一側端部で接着され、最下位の配送伝票用紙の一側端部と前記チラシ用紙本体の表面とで接着され、前記配送伝票セットの複数の配送伝票用紙は、最上位の配送伝票用紙から下側に重ね合わされている配送伝票用紙にいくにつれて、順番に矩形状の短辺方向のサイズが小さなサイズとなるように形成され、前記チラシ用紙本体上に前記配送伝票セットが重ねられた状態で、前記チラシ用紙本体の表面と、前記複数の配送伝票用紙の裏面と、が対面する位置に、前記複数の配送伝票用紙の各配送伝票用紙の裏面側と、前記チラシ用紙本体の表面側と、を接着する接着部を有し、前記チラシ用紙本体の表面上には、前記接着部の位置に、接着状態を剥離可能とする剥離層が形成されていることを特徴とする。
【０００９】
また、本発明のチラシ付き配送伝票セットは、前記チラシ用紙本体には、前記配送伝票セットが重ね合わされている部分を切り取る切り取り用ミシンが形成されていることを特徴とする。
【００１０】
更に、本発明のチラシ付き配送伝票セットは、本発明のチラシ付き配送伝票セットは、前記チラシ用紙本体の裏面であって、前記切り取り用ミシンから前記配送伝票セットが重ね合わされている領域に、粘着剤層が設けられ、前記粘着剤層の裏面側に剥離紙が剥離可能に貼付されていることを特徴とする。
【発明の効果】
【００１１】
上記のように、本発明のチラシ付き配送伝票セットは、顧客に対して宣伝広告するための広告情報を表示できる大きな面積を有するチラシと、配送依頼する際に使用する配送伝票と、を一体化させた状態で、顧客に配布でき、顧客に多くの広告情報を提供できるようにすると共に、顧客が配送の依頼を希望する際にも、直ぐに配送依頼を行なえるという効果がある。
【００１２】
また、本発明のチラシ付き配送伝票セットは、チラシ用紙本体の裏面であって、前記切り取り用ミシンから前記配送伝票セットが重ね合わされている領域に、粘着剤層が設けられているので、配送する物品に簡単に配送伝票セットを貼付できるという効果がある。
【発明を実施するための最良の形態】
【００１３】
以下、本発明の実施形態に係るチラシ付き配送伝票セットを、図面に基づいて詳細に説明する。
図１には、本発明の実施形態に係るチラシ付き配送伝票セット１の斜視図が示されている。
図１に示されているように、実施形態に係るチラシ付き配送伝票セット１は、広告２が表示されたチラシ用紙本体３と、そのチラシ用紙本体３の上側に配置された配送伝票セット４と、を備えている。
このチラシ用紙本体３には、表裏面に所望の広告が印刷などで表示してある。
チラシ用紙本体３に表示される広告は、チラシ用紙本体３に貼付されている配送伝票セットを使用して配送を行う配送業者の広告や、その他、配送に直接関係のない業界の広告であってもよい。
チラシ用紙本体３と配送伝票セット４は、両方とも矩形状に形成され、チラシ用紙本体３のサイズは、配送伝票セットのサイズよりも大きなサイズで形成され、チラシ用紙本体３の一端側に配送伝票セットが貼付されている。
【００１４】
チラシ用紙本体３のサイズは、配送伝票セット４のサイズの略２倍、略３倍、略４倍、などのサイズに形成することで、チラシ用紙本体３を２つ折り、３つ折り、４つ折りなどとして折り畳んだ場合に、配送伝票セット４のサイズとなるようにしてある。
折り畳んで、配送伝票セット４のサイズとすることで、顧客に配布しやすくしたり、配送伝票セット４を内側にしてチラシ用紙本体３を丸め込んだ状態として顧客に配布できるように構成することが利用上も好ましい。
【００１５】
実施形態に係るチラシ付き配送伝票セット１の構成が明確になるように、図２には、チラシ付き配送伝票セット１において、複数の配送伝票用紙を分解させた状態を示す斜視図、図３には、図１のＡ−Ａ線断面図が示されている。
図２及び図３に示すように、配送伝票セット４は、複数の配送伝票用紙４ａ，４ｂ，４ｃ，４ｄ，４ｅが、それぞれ一端部分で接着剤により接着された接着部６ａ，６ｂ，６ｃ，６ｄで綴り合わされている。
また、各配送伝票用紙４ａ，４ｂ，４ｃ，４ｄ，４ｅには、使用時に各配送伝票用紙を切り取るための切り取りミシン5ａ，５ｂ，５ｃ，５ｄ，５ｅが形成されている。
【００１６】
この実施形態においては、５枚の配送伝票用紙４ａ，４ｂ，４ｃ，４ｄ，４ｅを有する配送伝票セット４が示されているが、配送伝票用紙の枚数は任意に定めことができ、従来から使用されている構成からなる配送伝票セットを用いることができる。
【００１７】
また、配送伝票セット４の中で、最下位の配送伝票用紙４ｅの一側端部と、チラシ用紙本体３の表面とは、接着剤７により接着されている。
この接着剤７により、チラシ用紙本体３の表面上に配送伝票セット４が貼付され一体化されている。
チラシ用紙本体３には、配送伝票セット４が重ね合わされている部分を切り取る切り取り用ミシン８が形成されており、切り取り用ミシン８から切り取ることで、チラシ用紙本体３の一部分と、配送伝票セット４とを一緒に切り取ってから、配送伝票セット４に必要事項を記入した使用できるように構成されている。
【００１８】
また、図３に示すように、配送伝票セット４の複数の配送伝票用紙４ａ，４ｂ，４ｃ，４ｄ，４ｅは、最上位の配送伝票用紙４ａから下側に重ね合わされている複数の配送伝票用紙にいくにつれて、順番に矩形状の短辺方向のサイズが小さなサイズとなるようにすだれ状に形成されている。
したがって、配送伝票セット４を構成する複数の配送伝票用紙４ａ，４ｂ，４ｃ，４ｄ，４ｅは、一端側で接着されているので、接着されていない側において、すだれ状に段差が生じるように構成されている。
【００１９】
また、チラシ用紙本体３上に配送伝票セット４が重ねられた状態で、チラシ用紙本体３の表面と、複数の配送伝票用紙４ａ，４ｂ，４ｃ，４ｄ，４ｅの各々の配送伝票用紙の裏面と、が対面する位置には、複数の配送伝票用紙４ａ，４ｂ，４ｃ，４ｄ，４ｅの各配送伝票用紙の裏面側と、チラシ用紙本体３の表面側と、を部分的に接着剤で接着する接着部９ａ，９ｂ，９ｃ，９ｄ，９ｅを有している。
各々の接着部９ａ，９ｂ，９ｃ，９ｄ，９ｅは、ライン状に設けられており、複数の配送伝票用紙４ａ，４ｂ，４ｃ，４ｄ，４ｅの両端部分が綴じられた状態となっている。
【００２０】
また、チラシ用紙本体３の表面上には、複数の配送伝票用紙４ａ，４ｂ，４ｃ，４ｄ，４ｅの各配送伝票用紙の裏面側と、チラシ用紙本体３の表面側と、を接着する接着部９ａ，９ｂ，９ｃ，９ｄ，９ｅが設けられている位置に、接着部９ａ，９ｂ，９ｃ，９ｄ，９ｅの接着状態を剥離可能とする剥離層１０が形成されている。
この剥離層１０も、ライン状に設けられた接着部９ａ，９ｂ，９ｃ，９ｄ，９ｅに対応してライン状に設けられている。
【００２１】
チラシ用紙本体３上に重ねられた配送伝票セット４が、最下位の配送伝票用紙４ｅの一側端部で接着剤７によりチラシ用紙本体３の表面と接着され、更に、複数の配送伝票用紙４ａ，４ｂ，４ｃ，４ｄ，４ｅの各配送伝票用紙の裏面側の一部で、それぞれ接着部９ａ，９ｂ，９ｃ，９ｄ，９ｅで剥離可能に接着されているので、チラシ用紙本体３の表面上に配送伝票セット４をしっかりと貼付させて、複数の配送伝票用紙４ａ，４ｂ，４ｃ，４ｄ，４ｅの間に他の用紙が挟まれ、チラシ用紙本体３から配送伝票セット４が落ちることがないように防止してある。
【００２２】
また、チラシ付き配送伝票セット１は、チラシ用紙本体３の裏面であって、チラシ用紙本体３に形成された切り取り用ミシン８から配送伝票セット４が重ね合わされている領域に、粘着剤層１１が設けられている。
更に、その粘着剤層１１の裏面側には、剥離紙１２が剥離可能に貼付されている。
剥離紙１２のサイズは、チラシ用紙本体３の裏面に設けられた粘着剤層１１の領域面積よりも大きなサイズの剥離紙を用いることが好ましい。
粘着剤層１１の領域面積よりも、剥離紙１２のサイズを大きくすることで、剥離作業をする際に、粘着剤層１１に貼り付けられていない剥離紙１２の端部分を摘んで、簡単に剥離しやすくできる。
【００２３】
図５には、チラシ付き配送伝票セット１の裏面図が示されている。
図５にも示すように、剥離紙１２には、縦方向にスリット１３が形成されている。
このスリット１３を形成することで、スリット１３部分から剥離紙１２を２分割して剥離しやすくなっている。
【００２４】
次に、チラシ付き配送伝票セット１の使用方法について説明する。
まず、チラシ付き配送伝票セット１を店舗に所定の場所に置いて、顧客が自由に持っていけるようにしたり、また、郵送で顧客にチラシ付き配送伝票セット１を送付などする場合には、図６に示すように、配送伝票セット４を内側にしてチラシ用紙本体３を丸め込んだ状態として配布する。
【００２５】
顧客は、チラシ付き配送伝票セット１のチラシ用紙本体３に表示された広告を見るなどして、チラシ用紙本体３に貼付されている配送伝票セット４を用いて、宅配を依頼する場合には、配送伝票セット４の配送伝票用紙４ａに必要事項を記入した後、チラシ用紙本体３に形成された切り取り用ミシン８から、チラシ用紙本体３の一部分と共に配送伝票セット４とを一緒に切り取る。
【００２６】
配送伝票セット４を構成する複数の配送伝票用紙４ａ，４ｂ，４ｃ，４ｄ，４ｅの使用目的は、宅配業者ごとに自由に設定すればよい。
一例として、配送伝票セット４の最上位にある配送伝票用紙４ａを顧客控えとした場合には、配送伝票セット４を配送物品に貼付させる前段階に、配送伝票用紙４ａを顧客に渡すために切り取りミシン5ａから切り取る。
この際、図４に示すように、配送伝票用紙４ａの接着部９ａが設けられているチラシ用紙本体３の表面位置に、剥離層１０が形成されているので配送伝票用紙４ａを引っ張ることで簡単に、配送伝票用紙４ａをチラシ用紙本体３から剥離できる。
【００２７】
その後、チラシ用紙本体３の裏面に貼付されている剥離紙１２を剥離させて、配送物品１４に粘着剤層１１を押し付けて貼付させる。
図７には、配送物品１４に配送伝票セット４を貼付させた状態が示されている。
そして、配送業者は、配送の途中において、中継地点などにおいて、配送伝票セット４の中から必要な配送伝票用紙を切り取り、チラシ用紙本体３から剥離させて使用するが、この場合でも、配送伝票セット４の各々の配送伝票用紙は、いずれも配送伝票用紙の接着部が設けられているチラシ用紙本体３の表面位置に、剥離層１０が形成されているので、配送伝票用紙を切り取りミシンから切り取ることで簡単に、配送伝票用紙をチラシ用紙本体３から剥離できるように構成されている。
【００２８】
以上のように、本発明の実施形態に係るチラシ付き配送伝票セット１は、広告を表示したチラシと、配送伝票と、が一体化させた状態で顧客に配布でき、顧客が配送の依頼を希望する際にも、直ぐに配送伝票セット４を利用して配送依頼を行なえるようにしてある。
【図面の簡単な説明】
【００２９】
【図１】本発明の実施形態に係るチラシ付き配送伝票セットの斜視図である。
【図２】本発明の実施形態に係るチラシ付き配送伝票セットであって、複数の配送伝票用紙を分解させた状態を示す斜視図である。
【図３】図１のＡ−Ａ線断面図である。
【図４】本発明の実施形態に係るチラシ付き配送伝票セットを使用する状態を説明する断面図である。
【図５】本発明の実施形態に係るチラシ付き配送伝票セットの裏面の平面図である。
【図６】本発明の実施形態に係るチラシ付き配送伝票セットであって、チラシ用紙本体を３つ折りさせた状態を示す斜視図である。
【図７】本発明の実施形態に係るチラシ付き配送伝票セットの配送伝票セットを配送物品に貼付させた状態を示す斜視図である。
【符号の説明】
【００３０】
１  チラシ付き配送伝票セット
２  広告
３  チラシ用紙本体
４  配送伝票セット
４ａ，４ｂ，４ｃ，４ｄ，４ｅ  配送伝票用紙
５ａ，５ｂ，５ｃ，５ｄ，５ｅ，８  切り取りミシン
６ａ，６ｂ，６ｃ，６ｄ，９ａ，９ｂ，９ｃ，９ｄ，９ｅ  接着部
１０  剥離層
１１  粘着剤層
１２  剥離紙
１３  スリット
１４  配送物品
【図１】
2009248383.tif 000003
【図２】
2009248383.tif 000004
【図３】
2009248383.tif 000005
【図４】
2009248383.tif 000006
【図５】
2009248383.tif 000007
【図６】
2009248383.tif 000008
【図７】
2009248383.tif 000009